(57)【要約】【課題】  装置を大型化することなく、低コストで電池交換忘れを防止することが可能な無線装置および無線通信システムを提供する。【解決手段】  制御部１１０は、管理装置２００による呼び出し動作の総動作時間Ｔと総動作回数Ｎを積算し、これらの積算結果が所定値以上となった場合に、警報部１０４を動作制御して動作用の電池１０６の電力残量が低下していることを報知するとともに、無線通信部１０１を制御して管理装置２００宛てに電池１０６の電力残量が低下していることを通知する。この通知をい受けた管理装置２００は、制御部２１０が警報部２０６を動作制御して電池１０６の電力残量が低下していることを報知するようにしたものである。【選択図】      図１
2005086667.tif 000002
【特許請求の範囲】
【請求項１】
無線呼出信号を受信した場合に、呼び出しが生じた旨を報知する報知動作を行う無線装置において、
前記報知動作の回数を計数する計数手段と、
この計数手段が計数した回数が予め設定した数以上の場合に、電池残量に関する警報を発する警報手段とを具備することを特徴とする無線装置。
【請求項２】
無線呼出信号を受信した場合に、呼び出しが生じた旨を報知する報知動作を行う無線装置において、
前記報知動作の動作時間を計測する計測手段と、
この計測手段が計測した時間を累積加算する積算手段と、
この積算手段が累積加算した結果が予め設定した時間以上の場合に、電池残量に関する警報を発する警報手段とを具備することを特徴とする無線装置。
【請求項３】
無線呼出信号を受信した場合に、呼び出しが生じた旨を報知する報知動作を行う無線装置において、
前記報知動作の回数を計数する計数手段と、
前記報知動作の動作時間を計測する計測手段と、
この計測手段が計測した時間を累積加算する積算手段と、
前記計数手段が計数した回数が予め設定した数以上であるか、あるいは前記積算手段が累積加算した結果が予め設定した時間以上である場合に、電池残量に関する警報を発する警報手段とを具備することを特徴とする無線装置。
【請求項４】
前記積算手段は、前記計測手段が計測した時間を累積加算する度に、予め設定した時間をさらに加算することを特徴とする請求項２または請求項３に記載の無線装置。
【請求項５】
第１の無線装置が無線呼出信号を送信し、第２の無線装置は前記無線呼出信号を受信すると呼び出しが生じた旨を報知する報知動作を行う無線通信システムにおいて、
前記第２の無線装置は、
前記報知動作の回数を計数する計数手段と、
この計数手段が計数した回数が予め設定した数以上の場合に、前記第１の無線装置に宛てた無線信号を送信する送信手段とを備え、
前記第１の無線装置は、
前記無線信号を受信した場合に、電池残量に関する警報を発する警報手段を備えることを特徴とする無線通信システム。
【請求項６】
第１の無線装置が無線呼出信号を送信し、第２の無線装置は前記無線呼出信号を受信すると呼び出しが生じた旨を報知する報知動作を行う無線通信システムにおいて、
前記第２の無線装置は、
前記報知動作の動作時間を計測する計測手段と、
この計測手段が計測した時間を累積加算する積算手段と、
この積算手段が累積加算した結果が予め設定した時間以上の場合に、前記第１の無線装置に宛てた無線信号を送信する送信手段とを備え、
前記第１の無線装置は、
前記無線信号を受信した場合に、電池残量に関する警報を発する警報手段を備えることを特徴とする無線通信システム。
【請求項７】
第１の無線装置が無線呼出信号を送信し、第２の無線装置は前記無線呼出信号を受信すると呼び出しが生じた旨を報知する報知動作を行う無線通信システムにおいて、
前記第２の無線装置は、
前記報知動作の回数を計数する計数手段と、
前記報知動作の動作時間を計測する計測手段と、
この計測手段が計測した時間を累積加算する積算手段と、
前記計数手段が計数した回数が予め設定した数以上であるか、あるいは前記積算手段が累積加算した結果が予め設定した時間以上である場合に、前記第１の無線装置に宛てた無線信号を送信する送信手段とを備え、
前記第１の無線装置は、
前記無線信号を受信した場合に、電池残量に関する警報を発する警報手段を備えることを特徴とする無線通信システム。
【請求項８】
前記積算手段は、前記計測手段が計測した時間を累積加算する度に、予め設定した時間をさらに加算することを特徴とする請求項６または請求項７に記載の無線通信システム。
【請求項９】
第１の無線装置が無線呼出信号を送信し、第２の無線装置は前記無線呼出信号を受信すると呼び出しが生じた旨を報知する報知動作を行う無線通信システムにおいて、
前記第１の無線装置は、
前記第２の無線装置の報知動作の回数を計数する計数手段と、
この計数手段が計数した回数が予め設定した数以上の場合に、電池残量に関する警報を発する警報手段とを具備することを特徴とする無線通信システム。
【請求項１０】
第１の無線装置が無線呼出信号を送信し、第２の無線装置は前記無線呼出信号を受信すると呼び出しが生じた旨を報知する報知動作を行う無線通信システムにおいて、
前記第１の無線装置は、
前記第２の無線装置の報知動作の動作時間を計測する計測手段と、
この計測手段が計測した時間を累積加算する積算手段と、
この積算手段が累積加算した結果が予め設定した時間以上の場合に、電池残量に関する警報を発する警報手段とを具備することを特徴とする無線通信システム。
【請求項１１】
第１の無線装置が無線呼出信号を送信し、第２の無線装置は前記無線呼出信号を受信すると呼び出しが生じた旨を報知する報知動作を行う無線通信システムにおいて、
前記第１の無線装置は、
前記第２の無線装置の報知動作の回数を計数する計数手段と、
前記第２の無線装置の報知動作の動作時間を計測する計測手段と、
この計測手段が計測した時間を累積加算する積算手段と、
前記計数手段が計数した回数が予め設定した数以上であるか、あるいは前記積算手段が累積加算した結果が予め設定した時間以上である場合に、電池残量に関する警報を発する警報手段とを具備することを特徴とする無線通信システム。
【請求項１２】
前記積算手段は、前記計測手段が計測した時間を累積加算する度に、予め設定した時間をさらに加算することを特徴とする請求項１０または請求項１１に記載の無線通信システム。
【請求項１３】
第１の無線装置が無線呼出信号を送信し、第２の無線装置は前記無線呼出信号を受信すると呼び出しが生じた旨を報知する報知動作を行う無線通信システムにおいて、
前記第１の無線装置は、
前記報知動作の回数を計数する計数手段と、
この計数手段が計数した回数が予め設定した数以上の場合に、前記第２の無線装置に宛てた無線信号を送信する送信手段とを備え、
前記第２の無線装置は、
前記無線信号を受信した場合に、電池残量に関する警報を発する警報手段を備えることを特徴とする無線通信システム。
【請求項１４】
第１の無線装置が無線呼出信号を送信し、第２の無線装置は前記無線呼出信号を受信すると呼び出しが生じた旨を報知する報知動作を行う無線通信システムにおいて、
前記第１の無線装置は、
前記報知動作の動作時間を計測する計測手段と、
この計測手段が計測した時間を累積加算する積算手段と、
この積算手段が累積加算した結果が予め設定した時間以上の場合に、前記第２の無線装置に宛てた無線信号を送信する送信手段とを備え、
前記第２の無線装置は、
前記無線信号を受信した場合に、電池残量に関する警報を発する警報手段を備えることを特徴とする無線通信システム。
【請求項１５】
第１の無線装置が無線呼出信号を送信し、第２の無線装置は前記無線呼出信号を受信すると呼び出しが生じた旨を報知する報知動作を行う無線通信システムにおいて、
前記第１の無線装置は、
前記報知動作の回数を計数する計数手段と、
前記報知動作の動作時間を計測する計測手段と、
この計測手段が計測した時間を累積加算する積算手段と、
前記計数手段が計数した回数が予め設定した数以上であるか、あるいは前記積算手段が累積加算した結果が予め設定した時間以上である場合に、前記第２の無線装置に宛てた無線信号を送信する送信手段とを備え、
前記第２の無線装置は、
前記無線信号を受信した場合に、電池残量に関する警報を発する警報手段を備えることを特徴とする無線通信システム。
【請求項１６】
前記積算手段は、前記計測手段が計測した時間を累積加算する度に、予め設定した時間をさらに加算することを特徴とする請求項１４または請求項１５に記載の無線通信システム。
【発明の詳細な説明】
【技術分野】
【０００１】
この発明は、例えば病院などの施設において、患者に無線ペンダントなどの小型の無線端末装置を携帯させて、管理装置との間で呼び出しを行う無線通信システムに関する。
【背景技術】
【０００２】
例えば病院などの施設において、患者が無線ペンダントを携帯し、患者の呼び出しや患者の身体状態などの測定結果を送信したり、管理装置側から患者を呼び出したりする小型の無線端末装置がある。このような無線端末装置は、その運用特性上、動作電源である電池が消耗して動作しなくなる前に、看護師などの管理者が早めに電池交換を行うようにしていた。
【０００３】
しかしながら、人的労力に依存することで電池交換を怠る虞があるため、従来は無線ペンダント自身に電池の残量を検出する機能を備え、残量が一定値以下になると、それを報知するようにしていた（例えば、特許文献１参照）。
【０００４】
このように従来の無線ペンダントは、電池残量を検出する機能を備えることで電池交換を忘れることを防止しているが、装置が大型化するばかりか、正確な検出精度を得るためにコストが大幅に上昇するという問題があった。
【特許文献１】特開平８−１３８７４７公報。
【発明の開示】
【発明が解決しようとする課題】
【０００５】
従来の無線端末装置では、電池残量を検出する機能を備えることにより、装置が大型化したり、コストが大幅に上昇するという問題があった。  
この発明は上記の問題を解決すべくなされたもので、装置を大型化することなく、低コストで電池交換忘れを防止することが可能な無線装置および無線通信システムを提供することを目的とする。
【課題を解決するための手段】
【０００６】
上記の目的を達成するために、この発明は、無線呼出信号を受信した場合に、呼び出しが生じた旨を報知する報知動作を行う無線装置において、報知動作の回数を計数する計数手段と、この計数手段が計数した回数が予め設定した数以上の場合に、電池残量に関する警報を発する警報手段とを具備して構成するようにした。
【０００７】
またこの発明では、第１の無線装置が無線呼出信号を送信し、第２の無線装置は無線呼出信号を受信すると呼び出しが生じた旨を報知する報知動作を行う無線通信システムにおいて、第２の無線装置は、報知動作の回数を計数する計数手段と、この計数手段が計数した回数が予め設定した数以上の場合に、第１の無線装置に宛てた無線信号を送信する送信手段とを備え、第１の無線装置は、無線信号を受信した場合に、電池残量に関する警報を発する警報手段を具備して構成するようにした。
【０００８】
さらにこの発明は、無線呼出信号を受信した場合に、呼び出しが生じた旨を報知する報知動作を行う無線装置において、報知動作の動作時間を計測する計測手段と、この計測手段が計測した時間を累積加算する積算手段と、この積算手段が累積加算した結果が予め設定した時間以上の場合に、電池残量に関する警報を発する警報手段とを具備して構成するようにした。
【０００９】
またこの発明では、第１の無線装置が無線呼出信号を送信し、第２の無線装置は無線呼出信号を受信すると呼び出しが生じた旨を報知する報知動作を行う無線通信システムにおいて、第２の無線装置は、報知動作の動作時間を計測する計測手段と、この計測手段が計測した時間を累積加算する積算手段と、この積算手段が累積加算した結果が予め設定した時間以上の場合に、第１の無線装置に宛てた無線信号を送信する送信手段とを備え、第１の無線装置は、無線信号を受信した場合に、電池残量に関する警報を発する警報手段を具備して構成するようにした。
【発明の効果】
【００１０】
以上述べたように、この発明では、報知動作の回数を計数し、この計測した回数が予め設定した数以上の場合に、電池残量に関する警報を発するようにしている。  
したがって、この発明によれば、実際に行った報知動作の回数に基づいて、電池残量に関する警報を発するようにしているので、電池の電圧降下を常時監視する従来の手法に比べて、装置を大型化することなく、低コストで電池交換忘れを防止することが可能な無線装置および無線通信システムを提供できる。
【００１１】
この発明では、報知動作の動作時間を計測し、この計測した時間が予め設定した時間以上の場合に、電池残量に関する警報を発するようにしている。  
したがって、この発明によれば、実際に行った報知動作の時間に基づいて、電池残量に関する警報を発するようにしているので、電池の電圧降下を常時監視する従来の手法に比べて、装置を大型化することなく、低コストで電池交換忘れを防止することが可能な無線装置および無線通信システムを提供できる。
【発明を実施するための最良の形態】
【００１２】
以下、図面を参照して、この発明の一実施形態について説明する。  
図１は、この発明の第１の実施形態に係わる無線端末装置１００の構成と、この無線端末装置１００と無線通信する管理装置２００の構成を示すものである。以下の説明では、病院施設に適用した場合を例に挙げて説明する。
【００１３】
無線端末装置１００は、例えば患者や医師、看護師が携帯するものであって、アンテナを備えた無線通信部１０１と、呼出報知部１０２と、情報生成部１０３と、警報部１０４と、操作部１０５と、電池１０６と、制御部１１０とを備えている。
【００１４】
無線通信部１０１は、後述する管理装置２００と無線通信する無線部であって、管理装置２００から受信した無線信号からデータを抽出して制御部１１０に出力したり、あるいは制御部１１０から与えられるデータを無線信号により管理装置２００に宛てて送信するものである。
【００１５】
呼出報知部１０２は、制御部１１０の制御により動作するものであって、当該無線端末装置１００を携帯する者に、呼び出しの発生を報知するものである。報知の方法としては、スピーカを備えることで音により報知を行ったり、表示部を備えることで視覚的に報知を行ったり、バイブレータを備えることで振動により報知を行うことが想定される。
【００１６】
情報生成部１０３は、例えば心拍数や血圧など、患者の身体測定を行い、この測定結果を測定データとして制御部１１０に出力する。  
警報部１０４は、制御部１１０の制御により動作するものであって、当該無線端末装置１００を携帯する者に、動作用の電池１０６の電力残量が低下していることを報知するものである。報知の方法としては、スピーカを備えることで音により報知を行ったり、表示部を備えることで視覚的に報知を行うことが想定される。
【００１７】
操作部１０５は、複数のキースイッチを備え、ユーザの要求を受け付け、これを制御部１１０に通知する。  
電池１０６は、当該無線端末装置１００の各部に動作用電力を供給する。
【００１８】
制御部１１０は、当該無線端末装置１００の各部を統括して制御するものであって、無線通信部１０１を制御して情報生成部１０３から与えられる測定データを管理装置２００宛てに送信したり、あるいは管理装置２００から呼出信号を受信した場合に、呼出報知部１０２を動作制御して呼出報知動作を行う。
【００１９】
また制御部１１０は、新たな制御機能として、呼出報知部１０２を用いた呼出報知時間と呼出回数を積算し、この積算結果から電池１０６の電力残量を推定して、電力不足により当該無線端末装置１００が正常に動作しなくなる虞がある場合に、警報部１０４を制御して報知動作制御を行ったり、その旨を知らせる情報を管理装置２００に送信制御する機能を備える。
【００２０】
管理装置２００は、ナースセンタなどに設置されるものであって、オペレータの操作により複数ある無線端末装置１００を選択的に呼び出したり、無線端末装置１００から受信したデータを表示したり蓄積するものであって、操作部２０１と、無線通信部２０２と、情報処理部２０３と、表示部２０４と、記憶部２０５と、警報部２０６とを備える。
【００２１】
操作部２０１は、例えばキーボードなどの入力デバイスであって、オペレータからの指示を受け付け、この指示を制御部２１０に通知する。  
無線通信部２０２は、無線端末装置１００の無線通信部１０１と無線通信する無線部であって、無線端末装置１００から受信した無線信号からデータを抽出して制御部２１０に出力したり、あるいは制御部２１０から与えられるデータを無線信号により無線端末装置１００に宛てて送信するものである。
【００２２】
情報処理部２０３は、制御部２１０から与えられる無線端末装置１００から受信した測定データに対して所定の情報処理を行うことで、例えば複数の測定データをグラフ化して表示部２０４に表示したり、測定データを分析してその分析結果を表示部２０４に表示したり、測定データや上記グラフ化したデータ、分析結果などを記憶部２０５に記録するものである。
【００２３】
警報部２０６は、制御部２１０の制御により動作するものであって、無線端末装置１００の動作用の電池１０６の電力残量が低下していることを報知するものである。報知の方法としては、スピーカを備えることで音により報知を行ったり、表示部を備えることで視覚的に報知を行うことが想定される。
【００２４】
制御部２１０は、当該管理装置２００の各部を統括して制御するものであって、無線通信部２０２を制御して操作部２０１を通じて指定される無線端末装置１００を呼び出す呼出信号を送信させたり、あるいは無線端末装置１００からデータを受信した場合に、このデータを情報処理部２０３に出力して処理させる動作を行う。
【００２５】
また制御部２１０は、新たな制御機能として、無線端末装置１００から電池１０６の電力残量低下が通知された場合に、警報部２０６を制御して報知動作制御を行う機能を備える。
【００２６】
次に、上記構成の無線端末装置１００の動作について説明する。なお、以下の説明では、管理装置２００から呼出信号を受信した場合に実施する呼出報知動作については説明を省略し、ここでは電池残量低下に関わる報知動作について説明する。図２は、電池残量低下に関わる報知動作の処理を示すフローチャートで、無線端末装置１００の電源が投入されると電源が切られるまで制御部１１０によって繰り返し実施される。
【００２７】
まず、ステップ２ａにおいて制御部１１０は、無線通信部１０１から与えられる受信データを監視し、当該無線端末装置１００宛ての呼び出しが発生したか否かを判定する。ここで、自己宛ての呼び出しが発生した場合には、図示しない呼び出し処理により呼出報知部１０２を制御して呼出制御を実施しステップ２ｂに移行し、一方、呼び出しが発生していない場合にはステップ２ａに戻って呼び出し発生の監視を継続する。
【００２８】
ステップ２ｂにおいて制御部１１０は、呼出報知部１０２の動作時間ｔを計測し、ステップ２ｃに移行する。なお、動作時間ｔの計測方法としては、管理装置２００からの呼出信号の種別に応じて動作時間が異なる場合には、その種別に基づいて動作時間ｔを決定したり、あるいは呼出報知部１０２の動作開始から操作部１０５の操作により呼び出し操作が停止するまでの時間を計測することにより決定する方法が考えられる。
【００２９】
ステップ２ｃにおいて制御部１１０は、電池１０６の交換からこれまでの呼び出し回数であるトータル動作回数Ｎに「１」を加算し、ステップ２ｄに移行する。このトータル動作回数Ｎの情報は、制御部１１０のメモリに保持される。
【００３０】
ステップ２ｄにおいて制御部１１０は、電池１０６の交換からこれまでの呼び出し動作時間であるトータル動作時間Ｔに、ステップ２ｂで測定した動作時間ｔを加算し、ステップ２ｅに移行する。このトータル動作時間Ｔの情報は、制御部１１０のメモリに保持される。
【００３１】
ステップ２ｅにおいて制御部１１０は、予め設定された閾値Ｔ０とトータル動作時間Ｔを比較し、トータル動作時間Ｔが閾値Ｔ０以上か否かを判定する。ここで、トータル動作時間Ｔが閾値Ｔ０以上の場合には、ステップ２ｇに移行し、一方、トータル動作時間Ｔが閾値Ｔ０未満の場合には、ステップ２ｆに移行する。
【００３２】
ステップ２ｆにおいて制御部１１０は、予め設定された閾値Ｎ０とトータル動作回数Ｎを比較し、トータル動作回数Ｎが閾値Ｎ０以上か否かを判定する。ここで、トータル動作回数Ｎが閾値Ｎ０以上の場合には、ステップ２ｇに移行し、一方、トータル動作回数Ｎが閾値Ｎ０未満の場合には、ステップ２ａに移行する。
【００３３】
ステップ２ｇにおいて制御部１１０は、警報部１０４を制御して動作させ、動作用の電池１０６の電力残量が低下していることを報知するとともに、無線通信部１０１を制御して管理装置２００宛てに電池１０６の電力残量が低下していることを報知するデータを送信し、ステップ２ａに移行する。これに対して管理装置２００は、上記データを受信すると、制御部２１０が警報部２０６を動作制御して、オペレータに電池１０６の電力残量が低下していることを報知する。
【００３４】
なお、閾値Ｔ０および閾値Ｎ０は、電池１０６が新品状態の時の電力残量、呼出報知部１０２を動作させる時の無線端末装置１００の消費電力、無線端末装置１００が正常に動作するために最低限必要な電力残量などに基づいて、無線端末装置１００が正常に動作しなくなる前に、電池残量が低下した警報を発せられるように余裕を持った値となっている。
【００３５】
以上のように、上記構成の無線端末装置１００では、管理装置２００による呼び出し動作の総動作時間と総動作回数を積算し、これらの積算結果が所定値以上となった場合に、警報部１０４を動作制御して動作用の電池１０６の電力残量が低下していることを報知するとともに、無線通信部１０１を制御して管理装置２００宛てに電池１０６の電力残量が低下していることを通知するようにしている。
【００３６】
したがって、上記構成の無線端末装置１００によれば、呼出動作の実際の動作回数や動作時間に基づいて、電池１０６の電力残量を判断して警報を発令するようにしているので、電池１０６の電圧降下を常時監視する従来の手法に比べて、装置を大型化することなく、低コストで電池交換忘れを防止することができる。
【００３７】
なお、この発明は上記第１の実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００３８】
上記実施形態では、管理装置２００から無線端末装置１００を呼び出す場合を例に挙げ、無線端末装置１００にて動作回数や動作時間を検出し、無線端末装置１００あるいは管理装置２００にて電池残量の報知を行うようにしたが、これに代わって例えば、無線端末装置１００から管理装置２００を呼び出す場合に適用し、無線端末装置１００にて動作回数や動作時間を検出し、無線端末装置１００あるいは管理装置２００にて電池残量の報知を行うようにしてもよい。
【００３９】
また例えば、上記の実施形態では、動作時間を単純に積算するようにしたが、実際の報知動作で消費される電力は、報知動作開始までにある程度の電力を消費し、その後、動作時間に比例した電力が消費される。この点に着目し、図３に示すように、１回当たりの報知動作に初期値ｔ０を与えて積算するようにしてもよい。このように積算することで、より正確に電池１０６の電力残量を監視することができる。
【００４０】
また上記の実施形態では、病院施設に適用した場合を例に挙げて説明したがこれに限定されるものではない。他の環境でも適用可能であり、レジャー施設やオフィス、教育施設などにも好適し、同様の効果を得られる。
【００４１】
さらに、上記第１の実施形態では、無線端末装置１００側で動作回数や動作時間をカウントし、このカウント結果に応じてバッテリの消耗警報を行うようにしたが、これらの動作を管理装置２００側で行うようにしてもよい。
【００４２】
以下、第２の実施形態として図４を参照して、管理装置２００側で無線端末装置１００の動作回数や動作時間をカウントし、このカウント結果に応じてバッテリの消耗警報を行う場合について説明する。図４は、電池残量低下に関わる報知動作の処理を示すフローチャートで、管理装置２００の電源が投入されると電源が切られるまで制御部２１０によって繰り返し実施される。
【００４３】
まず、ステップ４ａにおいて制御部２１０は、操作部２０１から与えられるオペレータの指示を監視し、無線端末装置１００宛ての呼び出し要求が発生したか否かを判定する。ここで、上記呼び出しの要求が発生した場合には、図示しない呼び出し処理により無線通信部２０２を制御して無線端末装置１００宛ての呼出信号を送信制御しステップ４ｂに移行し、一方、呼び出しが発生していない場合にはステップ４ａに戻って呼び出し要求の発生の監視を継続する。
【００４４】
ステップ４ｂにおいて制御部２１０は、無線端末装置１００における呼出報知動作時間ｔを判定し、ステップ４ｃに移行する。なお、動作時間ｔの判定方法としては、操作部２０１から与えられるオペレータの指示の種別に応じて動作時間が異なる場合には、その種別に基づいて動作時間ｔを決定する方法が考えられる。
【００４５】
ステップ４ｃにおいて制御部２１０は、電池１０６の交換からこれまでの呼び出し回数であるトータル動作回数Ｎに「１」を加算し、ステップ４ｄに移行する。このトータル動作回数Ｎの情報は、制御部２１０のメモリに保持される。
【００４６】
ステップ４ｄにおいて制御部２１０は、電池１０６の交換からこれまでの呼び出し動作時間であるトータル動作時間Ｔに、ステップ４ｂで測定した動作時間ｔを加算し、ステップ４ｅに移行する。このトータル動作時間Ｔの情報は、制御部２１０のメモリに保持される。
【００４７】
ステップ４ｅにおいて制御部２１０は、予め設定された閾値Ｔ０とトータル動作時間Ｔを比較し、トータル動作時間Ｔが閾値Ｔ０以上か否かを判定する。ここで、トータル動作時間Ｔが閾値Ｔ０以上の場合には、ステップ４ｇに移行し、一方、トータル動作時間Ｔが閾値Ｔ０未満の場合には、ステップ４ｆに移行する。
【００４８】
ステップ４ｆにおいて制御部２１０は、予め設定された閾値Ｎ０とトータル動作回数Ｎを比較し、トータル動作回数Ｎが閾値Ｎ０以上か否かを判定する。ここで、トータル動作回数Ｎが閾値Ｎ０以上の場合には、ステップ４ｇに移行し、一方、トータル動作回数Ｎが閾値Ｎ０未満の場合には、ステップ４ａに移行する。
【００４９】
ステップ４ｇにおいて制御部２１０は、警報部２０６を制御して動作させ、無線端末装置１００の動作用の電池１０６の電力残量が低下していることを報知するとともに、情報処理部２０３を通じて表示部２０４に無線端末装置１００の識別情報を表示して、動作用の電池１０６の電力残量が低下していることを報知する。
【００５０】
また、ステップ４ｇにおいて制御部２１０は、無線通信部２０２を制御して無線端末装置１００宛てに電池１０６の電力残量が低下していることを報知するデータを送信し、ステップ４ａに移行する。これに対して無線端末装置１００は、上記データを受信すると、制御部１１０が警報部１０４を動作制御して、ユーザに電池１０６の電力残量が低下していることを報知する。
【００５１】
なお、閾値Ｔ０および閾値Ｎ０は、電池１０６が新品状態の時の電力残量、呼出報知部１０２を動作させる時の無線端末装置１００の消費電力、無線端末装置１００が正常に動作するために最低限必要な電力残量などに基づいて、無線端末装置１００が正常に動作しなくなる前に、電池残量が低下した警報を発せられるように余裕を持った値となっている。
【００５２】
以上のように、上記構成の管理装置２００では、無線端末装置１００の呼び出し動作の総動作時間と総動作回数を積算し、これらの積算結果が所定値以上となった場合に、警報部２０６を動作制御して無線端末装置１００の動作用電池１０６の電力残量が低下していることを報知するようにしている。
【００５３】
したがって、上記構成の管理装置２００によれば、呼出動作の実際の動作回数や動作時間に基づいて、電池１０６の電力残量を判断して警報を発令するようにしているので、電池１０６の電圧降下を常時監視する従来の手法に比べて、装置を大型化することなく、低コストで電池交換忘れを防止することができる。
【００５４】
なお、この発明は上記第２の実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００５５】
上記実施形態では、管理装置２００から無線端末装置１００を呼び出す場合を例に挙げ、管理装置２００にて動作回数や動作時間を検出し、無線端末装置１００あるいは管理装置２００にて電池残量の報知を行うようにしたが、これに代わって例えば、無線端末装置１００から管理装置２００を呼び出す場合に適用し、管理装置２００にて動作回数や動作時間を検出し、無線端末装置１００あるいは管理装置２００にて電池残量の報知を行うようにしてもよい。
【００５６】
また例えば、上記の実施形態では、動作時間を単純に積算するようにしたが、実際の報知動作で消費される電力は、報知動作開始までにある程度の電力を消費し、その後、動作時間に比例した電力が消費される。この点に着目し、図３に示すように、１回当たりの報知動作に初期値ｔ０を与えて積算するようにしてもよい。このように積算することで、より正確に電池１０６の電力残量を監視することができる。
【００５７】
また上記の実施形態では、病院施設に適用した場合を例に挙げて説明したがこれに限定されるものではない。他の環境でも適用可能であり、レジャー施設やオフィス、教育施設などにも好適し、同様の効果を得られる。  
その他、この発明の要旨を逸脱しない範囲で種々の変形を施しても同様に実施可能であることはいうまでもない。
【図面の簡単な説明】
【００５８】
【図１】この発明に係わる無線端末装置と管理装置の一実施形態の構成を示す回路ブロック図。
【図２】図１に示した無線端末装置の電池残量低下に関わる報知動作の処理を示すフローチャート。
【図３】図２に示したステップ２ｄにおける加算値の設定例の特性を示す図。
【図４】図１に示した無線端末装置の電池残量低下に関わる、管理装置による報知動作の処理を示すフローチャート。
【符号の説明】
【００５９】
１００…無線端末装置、１０１…無線通信部、１０２…呼出報知部、１０３…情報生成部、１０４…警報部、１０５…操作部、１０６…電池、１１０…制御部、２００…管理装置、２０１…操作部、２０２…無線通信部、２０３…情報処理部、２０４…表示部、２０５…記憶部、２０６…警報部、２１０…制御部。
【図１】
2005086667.tif 000003
【図２】
2005086667.tif 000004
【図３】
2005086667.tif 000005
【図４】
2005086667.tif 000006